(57)【要約】【課題】長期噴射安定性、長期保存安定性、光学濃度、滲みおよび耐水性に優れたインクを提供すること。【解決手段】少なくとも顔料と第１〜第３の水溶性溶媒群と水とを含み、第１の水溶性溶媒群が、一般式Ｉで示され、溶解性パラメータがＳＰ1である水溶性溶媒を１種以上含み、第２の水溶性溶媒群が、ＳＰ1よりも溶解性パラメータが１以上大きい水溶性溶媒を１種以上含み、第３の水溶性溶媒群が、ＳＰ1よりも溶解性パラメータが１以上小さい水溶性溶媒を１種以上含み、インクに含まれるこれら水溶性溶媒群の含有量（質量％）が下式１及び２の関係を満たすことを特徴とするインク。・一般式Ｉ  ＨＯ−（ＣＨＲ−ＣＨ2−Ｏ−）n−Ｈ・式１  Ｗ2／Ｗ1≧１．０・式２  ０．２５≦Ｗ3／Ｗ1≦０．７５〔上記式中、ｎは３〜６の整数、Ｒは水素またはメチル基、Ｗ1、Ｗ2およびＷ3はインク中の第１、第２および第３の水溶性溶媒群の含有量を表す。〕【選択図】  なし【特許請求の範囲】
【請求項１】
少なくとも、顔料と、水溶性溶媒と、水とを含むインクジェットインクにおいて、
前記水溶性溶媒が、下記一般式（Ｉ）で示される水溶性溶媒を少なくとも１種以上含む第１の水溶性溶媒群と、前記一般式（Ｉ）で示される水溶性溶媒による溶解性パラメータＳＰ1よりも溶解性パラメータが１以上大きい水溶性溶媒を１種以上含む第２の水溶性溶媒群と、前記溶解性パラメータＳＰ1よりも溶解性パラメータが１以上小さい水溶性溶媒を１種以上含む第３の水溶性溶媒群とを含み、前記インクジェットインクに含まれるそれぞれの水溶性溶媒群の含有量（質量％）が下式（１）及び下式（２）の関係を満たすことを特徴とするインクジェットインク。
・一般式（Ｉ）  ＨＯ−（ＣＨＲ−ＣＨ2−Ｏ−）n−Ｈ
・式（１）  Ｗ2／Ｗ1≧１．０
・式（２）  ０．２５≦Ｗ3／Ｗ1≦０．７５
〔但し、一般式（Ｉ）、式（１）および式（２）中、ｎは３〜６の整数を表し、Ｒは水素またはメチル基を表し、Ｗ1は前記インクジェトインクに含まれる第１の水溶性溶媒群の含有量（質量％）を表し、Ｗ2は前記インクジェトインクに含まれる前記第２の水溶性溶媒群の含有量（質量％）を表し、Ｗ3は前記インクジェトインクに含まれる前記第３の水溶性溶媒群の含有量（質量％）を表す。〕
【請求項２】
前記第１の水溶性有機溶媒群が、さらに、溶解性パラメータＳＰ1との差の絶対値が１未満の溶解性パラメータを有する前記一般式（Ｉ）以外の水溶性溶媒を含むことを特徴とする請求項１に記載のインクジェットインク。
【請求項３】
少なくとも、顔料と、水溶性溶媒と、水とを含むインクジェットインクを用いて、多価金属塩、有機カチオン物質、又は、有機アニオン物質を含有する記録媒体に印字するインクジェット記録方法において、
前記水溶性溶媒が、下記一般式（Ｉ）で示される水溶性溶媒を少なくとも１種以上含む第１の水溶性溶媒群と、前記一般式（Ｉ）で示される水溶性溶媒による溶解性パラメータＳＰ1よりも溶解性パラメータが１以上大きい水溶性溶媒を１種以上含む第２の水溶性溶媒群と、前記溶解性パラメータＳＰ1よりも溶解性パラメータが１以上小さい水溶性溶媒を１種以上含む第３の水溶性溶媒群とを含み、前記インクに含まれるそれぞれの水溶性溶媒群の含有量（質量％）が下式（１）及び下式（２）の関係を満たすことを特徴とするインクジェット記録方法。
・一般式（Ｉ）  ＨＯ−（ＣＨＲ−ＣＨ2−Ｏ−）n−Ｈ
・式（１）  Ｗ2／Ｗ1≧１．０
・式（２）  ０．２５≦Ｗ3／Ｗ1≦０．７５
〔但し、一般式（Ｉ）、式（１）および式（２）中、ｎは３〜６の整数を表し、Ｒは水素またはメチル基を表し、Ｗ1は前記インクジェトインクに含まれる第１の水溶性溶媒群の含有量（質量％）を表し、Ｗ2は前記インクジェトインクに含まれる前記第２の水溶性溶媒群の含有量（質量％）を表し、Ｗ3は前記インクジェトインクに含まれる前記第３の水溶性溶媒群の含有量（質量％）を表す。〕
【請求項４】
前記第１の水溶性有機溶媒群が、さらに、溶解性パラメータＳＰ1との差の絶対値が１未満の溶解性パラメータを有する前記一般式（Ｉ）以外の水溶性溶媒を含むことを特徴とする請求項３に記載のインクジェット記録方法。
【請求項５】
多価金属塩、有機カチオン物質、又は、有機アニオン物質を含有する液体組成物を記録媒体表面に付与した後、前記記録媒体表面の前記液体組成物が付与された領域に、少なくとも、顔料と、水溶性溶媒と、水とを含むインクジェットインクを用いて印字するインクジェット記録方法において、
前記水溶性溶媒が、下記一般式（Ｉ）で示される水溶性溶媒を少なくとも１種以上含む第１の水溶性溶媒群と、前記一般式（Ｉ）で示される水溶性溶媒による溶解性パラメータＳＰ1よりも溶解性パラメータが１以上大きい水溶性溶媒を１種以上含む第２の水溶性溶媒群と、前記溶解性パラメータＳＰ1よりも溶解性パラメータが１以上小さい水溶性溶媒を１種以上含む第３の水溶性溶媒群とを含み、前記インクに含まれるそれぞれの水溶性溶媒群の含有量（質量％）が下式（１）及び下式（２）の関係を満たすことを特徴とするインクジェット記録方法。
・一般式（Ｉ）  ＨＯ−（ＣＨＲ−ＣＨ2−Ｏ−）n−Ｈ
・式（１）  Ｗ2／Ｗ1≧１．０
・式（２）  ０．２５≦Ｗ3／Ｗ1≦０．７５
〔但し、一般式（Ｉ）、式（１）および式（２）中、ｎは３〜６の整数を表し、Ｒは水素またはメチル基を表し、Ｗ1は前記インクジェトインクに含まれる第１の水溶性溶媒群の含有量（質量％）を表し、Ｗ2は前記インクジェトインクに含まれる前記第２の水溶性溶媒群の含有量（質量％）を表し、Ｗ3は前記インクジェトインクに含まれる前記第３の水溶性溶媒群の含有量（質量％）を表す。〕
【請求項６】
前記第１の水溶性有機溶媒群が、さらに、溶解性パラメータＳＰ1との差の絶対値が１未満の溶解性パラメータを有する前記一般式（Ｉ）以外の水溶性溶媒を含むことを特徴とする請求項５に記載のインクジェット記録方法。
【請求項７】
少なくとも、顔料と、水溶性溶媒と、水とを含むインクジェットインクを用いて、熱インクジェット方式またはピエゾインクジェット方式により記録媒体に印字するインクジェット記録方法において、
前記水溶性溶媒が、下記一般式（Ｉ）で示される水溶性溶媒を少なくとも１種以上含む第１の水溶性溶媒群と、前記一般式（Ｉ）で示される水溶性溶媒による溶解性パラメータＳＰ1よりも溶解性パラメータが１以上大きい水溶性溶媒を１種以上含む第２の水溶性溶媒群と、前記溶解性パラメータＳＰ1よりも溶解性パラメータが１以上小さい水溶性溶媒を１種以上含む第３の水溶性溶媒群とを含み、前記インクに含まれるそれぞれの水溶性溶媒群の含有量（質量％）が下式（１）及び下式（２）の関係を満たすことを特徴とするインクジェット記録方法。
・一般式（Ｉ）  ＨＯ−（ＣＨＲ−ＣＨ2−Ｏ−）n−Ｈ
・式（１）  Ｗ2／Ｗ1≧１．０
・式（２）  ０．２５≦Ｗ3／Ｗ1≦０．７５
〔但し、一般式（Ｉ）、式（１）および式（２）中、ｎは３〜６の整数を表し、Ｒは水素またはメチル基を表し、Ｗ1は前記インクジェトインクに含まれる第１の水溶性溶媒群の含有量（質量％）を表し、Ｗ2は前記インクジェトインクに含まれる前記第２の水溶性溶媒群の含有量（質量％）を表し、Ｗ3は前記インクジェトインクに含まれる前記第３の水溶性溶媒群の含有量（質量％）を表す。〕
【請求項８】
前記第１の水溶性有機溶媒群が、さらに、溶解性パラメータＳＰ1との差の絶対値が１未満の溶解性パラメータを有する前記一般式（Ｉ）以外の水溶性溶媒を含むことを特徴とする請求項７に記載のインクジェット記録方法。
【発明の詳細な説明】
【０００１】
【発明の属する技術分野】
本発明は、インクジェットインク、並びに、インクジェット記録方法に関するものである。
【０００２】
【従来の技術】
ノズル、スリットあるいは多孔質フィルム等のインク吐出口から液体あるいは溶融固体等のインクを吐出する、いわゆるインクジェット方式は、小型で、安価である等の特徴から、多くのプリンターに用いられている。これらインクジェット方式の中でも、圧電素子の変形を利用しインクを吐出させるピエゾインクジェット方式、あるいは、熱エネルギーによるインクの沸騰現象を利用した熱インクジェット方式等が高解像度、高速印字性などの観点から多く利用されている。また、インクジェットプリンターは、普通紙、インクジェット専用紙等のいわゆる紙に印字されるだけでなく、ＯＨＰシート等のフィルムあるいは布等に対しても印字することが出来る。
【０００３】
長期保存安定性を目的に、下記一般式（ＩＩ）で示される溶媒を有機溶媒として使用することが提案されている（例えば、特許文献１参照）。長期保存安定性を確保するためには水分の蒸発を防止することが必要であり、従来の技術では、このような観点から、一般式（ＩＩ）で示される溶媒を保湿剤として使用していた。しかしながら、顔料と一般式（ＩＩ）で示される溶媒とを組み合わせたインクでは、顔料の凝集に伴う保存安定性の低下が生じることがある。
【０００４】
・一般式（ＩＩ）  ＨＯ−（ＣＨＲ−ＣＨ2−Ｏ−）n−Ｈ
〔但し、一般式（ＩＩ）中、ｎは整数を表し、Ｒは、水素又はアルキル基を表す。〕
【０００５】
また、長期保存安定性、普通紙での乾燥性、印字品質、耐水性、耐擦性の向上を目的として、水、水に自己分散可能な顔料、及び、水溶性有機溶剤を含有し、Ｓ．Ｐ．値が１２以下で２５℃における表面張力が４０ｍＮ／ｍ未満の水溶性有機化合物をインクの全質量に対して、３．０質量％〜１５．０質量％の範囲内で含有するインクジェット記録用インクが提案されている（特許文献２）。特許文献２の実施例には、その他の添加剤としてトリエチレングリコールが添加されたインクについて示されているが、このようなインクをより長期間に渡り保存した場合には保存安定性で不充分であることが判明した。
【０００６】
また、少なくとも１つのカルボキシル基を有する色材を含むインク組成物と、多価金属塩溶液とを使用し、記録媒体に、前記多価金属塩溶液を付与した後に、前記インク組成物を用いて印字する画像形成方法が提案されている（例えば、特許文献３参照）。この方法は、耐水性及びカラーブリードの改善を目的としているが、色材に顔料を使用した場合、長期噴射安定性が低下する場合が存在した。
上記のように、従来の方法では、長期噴射安定性、長期保存安定性、光学濃度、滲み、および、耐水性を同時に満足することはできなかった。
【０００７】
【特許文献１】
特開平０５−１７７１４号公報
【特許文献２】
特開平１１−２２８８９８号公報
【特許文献３】
特開平０５−２０２３２８号公報
【０００８】
【発明が解決しようとする課題】
本発明は、上記問題点を解決することを課題とする。すなわち、本発明は、長期噴射安定性、長期保存安定性、光学濃度、滲み、および、耐水性に優れたインクジェットインク、並びに、インクジェット記録方法を提供する事を課題とする。
【０００９】
【課題を解決するための手段】
本発明に係る課題を解決するため鋭意検討を行った結果、長期噴射安定性、長期保存安定性、光学濃度、滲み、耐水性を同時に満足するためには、本発明者は、以下に説明する本発明を考案するに至った。
【００１０】
＜１＞  少なくとも、顔料と、水溶性溶媒と、水とを含むインクジェットインクにおいて、
前記水溶性溶媒が、下記一般式（Ｉ）で示される水溶性溶媒を少なくとも１種以上含む第１の水溶性溶媒群と、前記一般式（Ｉ）で示される水溶性溶媒による溶解性パラメータＳＰ1よりも溶解性パラメータが１以上大きい水溶性溶媒を１種以上含む第２の水溶性溶媒群と、前記溶解性パラメータＳＰ1よりも溶解性パラメータが１以上小さい水溶性溶媒を１種以上含む第３の水溶性溶媒群とを含み、前記インクジェットインクに含まれるそれぞれの水溶性溶媒群の含有量（質量％）が下式（１）及び下式（２）の関係を満たすことを特徴とするインクジェットインクである。
・一般式（Ｉ）  ＨＯ−（ＣＨＲ−ＣＨ2−Ｏ−）n−Ｈ
・式（１）  Ｗ2／Ｗ1≧１．０
・式（２）  ０．２５≦Ｗ3／Ｗ1≦０．７５
〔但し、一般式（Ｉ）、式（１）および式（２）中、ｎは３〜６の整数を表し、Ｒは水素またはメチル基を表し、Ｗ1は前記インクジェトインクに含まれる第１の水溶性溶媒群の含有量（質量％）を表し、Ｗ2は前記インクジェトインクに含まれる前記第２の水溶性溶媒群の含有量（質量％）を表し、Ｗ3は前記インクジェトインクに含まれる前記第３の水溶性溶媒群の含有量（質量％）を表す。〕
【００１１】
＜２＞  前記第１の水溶性有機溶媒群が、さらに、溶解性パラメータＳＰ1との差の絶対値が１未満の溶解性パラメータを有する前記一般式（Ｉ）以外の水溶性溶媒を含むことを特徴とする＜１＞に記載のインクジェットインクである。
【００１２】
＜３＞  前記顔料が、水に自己分散可能な顔料であることを特徴とする＜１＞に記載のインクジェットインクである。
【００１３】
＜４＞  前記インクジェットインク中に、高分子アニオンまたは高分子カチオンが含まれることを特徴とする＜３＞に記載のインクジェットインクである。
【００１４】
＜５＞  前記顔料が、高分子分散剤により分散されていることを特徴とする＜１＞に記載のインクジェットインクである。
【００１５】
＜６＞  ζ電位絶対値が、３ｍＶ以上６０ｍＶ以下の範囲内であることを特徴とする＜２＞または＜５＞に記載のインクジェットインクである。
【００１６】
＜７＞  表面張力が、２０ｍＮ／ｍ以上４５ｍＮ／ｍ未満の範囲内であることを特徴とする＜１＞に記載のインクジェットインクである。
【００１７】
＜８＞  粘度が、１．２ｍＰａ・ｓ以上６．０ｍＰａ・ｓ未満の範囲内であることを特徴とする＜１＞に記載のインクジェットインクである。
【００１８】
＜９＞  少なくとも、顔料と、水溶性溶媒と、水とを含むインクジェットインクを用いて、多価金属塩、有機カチオン物質、又は、有機アニオン物質を含有する記録媒体に印字するインクジェット記録方法において、
前記水溶性溶媒が、下記一般式（Ｉ）で示される水溶性溶媒を少なくとも１種以上含む第１の水溶性溶媒群と、前記一般式（Ｉ）で示される水溶性溶媒による溶解性パラメータＳＰ1よりも溶解性パラメータが１以上大きい水溶性溶媒を１種以上含む第２の水溶性溶媒群と、前記溶解性パラメータＳＰ1よりも溶解性パラメータが１以上小さい水溶性溶媒を１種以上含む第３の水溶性溶媒群とを含み、前記インクに含まれるそれぞれの水溶性溶媒群の含有量（質量％）が下式（１）及び下式（２）の関係を満たすことを特徴とするインクジェット記録方法である。
・一般式（Ｉ）  ＨＯ−（ＣＨＲ−ＣＨ2−Ｏ−）n−Ｈ
・式（１）  Ｗ2／Ｗ1≧１．０
・式（２）  ０．２５≦Ｗ3／Ｗ1≦０．７５
〔但し、一般式（Ｉ）、式（１）および式（２）中、ｎは３〜６の整数を表し、Ｒは水素またはメチル基を表し、Ｗ1は前記インクジェトインクに含まれる第１の水溶性溶媒群の含有量（質量％）を表し、Ｗ2は前記インクジェトインクに含まれる前記第２の水溶性溶媒群の含有量（質量％）を表し、Ｗ3は前記インクジェトインクに含まれる前記第３の水溶性溶媒群の含有量（質量％）を表す。〕
【００１９】
＜１０＞  前記第１の水溶性有機溶媒群が、さらに、溶解性パラメータＳＰ1との差の絶対値が１未満の溶解性パラメータを有する前記一般式（Ｉ）以外の水溶性溶媒を含むことを特徴とする＜９＞に記載のインクジェット記録方法である。
【００２０】
＜１１＞  前記記録媒体表面に滴下された前記インクジェットインク中に含まれる粒子径５μｍ以上の粒子数が、１×１０2個／μｌ以上であることを特徴とする＜９＞に記載のインクジェット記録方法である
【００２１】
＜１２＞  多価金属塩、有機カチオン物質、又は、有機アニオン物質を含有する液体組成物を記録媒体表面に付与した後、前記記録媒体表面の前記液体組成物が付与された領域に、少なくとも、顔料と、水溶性溶媒と、水とを含むインクジェットインクを用いて印字するインクジェット記録方法において、
前記水溶性溶媒が、下記一般式（Ｉ）で示される水溶性溶媒を少なくとも１種以上含む第１の水溶性溶媒群と、前記一般式（Ｉ）で示される水溶性溶媒による溶解性パラメータＳＰ1よりも溶解性パラメータが１以上大きい水溶性溶媒を１種以上含む第２の水溶性溶媒群と、前記溶解性パラメータＳＰ1よりも溶解性パラメータが１以上小さい水溶性溶媒を１種以上含む第３の水溶性溶媒群とを含み、前記インクに含まれるそれぞれの水溶性溶媒群の含有量（質量％）が下式（１）及び下式（２）の関係を満たすことを特徴とするインクジェット記録方法である。
・一般式（Ｉ）  ＨＯ−（ＣＨＲ−ＣＨ2−Ｏ−）n−Ｈ
・式（１）  Ｗ2／Ｗ1≧１．０
・式（２）  ０．２５≦Ｗ3／Ｗ1≦０．７５
〔但し、一般式（Ｉ）、式（１）および式（２）中、ｎは３〜６の整数を表し、Ｒは水素またはメチル基を表し、Ｗ1は前記インクジェトインクに含まれる第１の水溶性溶媒群の含有量（質量％）を表し、Ｗ2は前記インクジェトインクに含まれる前記第２の水溶性溶媒群の含有量（質量％）を表し、Ｗ3は前記インクジェトインクに含まれる前記第３の水溶性溶媒群の含有量（質量％）を表す。〕
【００２２】
＜１３＞  前記第１の水溶性有機溶媒群が、さらに、溶解性パラメータＳＰ1との差の絶対値が１未満の溶解性パラメータを有する前記一般式（Ｉ）以外の水溶性溶媒を含むことを特徴とする＜１２＞に記載のインクジェット記録方法である。
【００２３】
＜１４＞  前記インクジェット用インクと前記液体組成物とを混合した混合液中に含まれる粒子径５μｍ以上の粒子数が、１．０×１０3個／μｌ以上であることを特徴とする＜１２＞に記載のインクジェット記録方法である。
【００２４】
＜１５＞  少なくとも、顔料と、水溶性溶媒と、水とを含むインクジェットインクを用いて、熱インクジェット方式またはピエゾインクジェット方式により記録媒体に印字するインクジェット記録方法において、
前記水溶性溶媒が、下記一般式（Ｉ）で示される水溶性溶媒を少なくとも１種以上含む第１の水溶性溶媒群と、前記一般式（Ｉ）で示される水溶性溶媒による溶解性パラメータＳＰ1よりも溶解性パラメータが１以上大きい水溶性溶媒を１種以上含む第２の水溶性溶媒群と、前記溶解性パラメータＳＰ1よりも溶解性パラメータが１以上小さい水溶性溶媒を１種以上含む第３の水溶性溶媒群とを含み、前記インクに含まれるそれぞれの水溶性溶媒群の含有量（質量％）が下式（１）及び下式（２）の関係を満たすことを特徴とするインクジェット記録方法である。
・一般式（Ｉ）  ＨＯ−（ＣＨＲ−ＣＨ2−Ｏ−）n−Ｈ
・式（１）  Ｗ2／Ｗ1≧１．０
・式（２）  ０．２５≦Ｗ3／Ｗ1≦０．７５
〔但し、一般式（Ｉ）、式（１）および式（２）中、ｎは３〜６の整数を表し、Ｒは水素またはメチル基を表し、Ｗ1は前記インクジェトインクに含まれる第１の水溶性溶媒群の含有量（質量％）を表し、Ｗ2は前記インクジェトインクに含まれる前記第２の水溶性溶媒群の含有量（質量％）を表し、Ｗ3は前記インクジェトインクに含まれる前記第３の水溶性溶媒群の含有量（質量％）を表す。〕
【００２５】
＜１６＞  前記第１の水溶性有機溶媒群が、さらに、溶解性パラメータＳＰ1との差の絶対値が１未満の溶解性パラメータを有する前記一般式（Ｉ）以外の水溶性溶媒を含むことを特徴とする＜１５＞に記載のインクジェット記録方法である。
【００２６】
＜１７＞  前記インクジェットインクが前記記録媒体表面に付与される際の付与量が、液滴１ドロップ当り２５ｎｇ以下であることを特徴とする＜１５＞に記載のインクジェット記録方法である。
【００２７】
【発明の実施の形態】
以下に、本発明をインクジェットインクと、インクジェット記録方法とに分けて、順次説明する。
【００２８】
（インクジェットインク）
本発明のインクジェットインク（以下、「インク」と略す場合がある）は、少なくとも、顔料と、水溶性溶媒と、水とを含むインクジェットインクにおいて、前記水溶性溶媒が、下記一般式（Ｉ）で示される水溶性溶媒を少なくとも１種以上含む第１の水溶性溶媒群と、前記一般式（Ｉ）で示される水溶性溶媒による溶解性パラメータＳＰ1よりも溶解性パラメータが１以上大きい水溶性溶媒を１種以上含む第２の水溶性溶媒群と、前記溶解性パラメータＳＰ1よりも溶解性パラメータが１以上小さい水溶性溶媒を１種以上含む第３の水溶性溶媒群とを含み、前記インクジェットインクに含まれるそれぞれの水溶性溶媒群の含有量（質量％）が下式（１）及び下式（２）の関係を満たすことを特徴とする。
・一般式（Ｉ）  ＨＯ−（ＣＨＲ−ＣＨ2−Ｏ−）n−Ｈ
・式（１）  Ｗ2／Ｗ1≧１．０
・式（２）  ０．２５≦Ｗ3／Ｗ1≦０．７５
【００２９】
但し、一般式（Ｉ）、式（１）および式（２）中、ｎは３〜６の整数を表し、Ｒは水素またはメチル基を表し、Ｗ1は前記インクジェトインクに含まれる第１の水溶性溶媒群の含有量（質量％）を表し、Ｗ2は前記インクジェトインクに含まれる前記第２の水溶性溶媒群の含有量（質量％）を表し、Ｗ3は前記インクジェトインクに含まれる前記第３の水溶性溶媒群の含有量（質量％）を表す。
【００３０】
なお、第１の水溶性溶媒群が、一般式（Ｉ）で示される水溶性溶媒を２種類以上含有する場合には、第１の水溶性溶媒群の溶解性パラメータＳＰ1は、下式（３）に示されるように、個々の一般式（Ｉ）で示される水溶性溶媒の溶解性パラメータに対して、含有量（質量％）による荷重平均を加味して算出した値として求められた値を意味する。
【００３１】
【数１】
2004189870.tif 000002
【００３２】
但し、式（３）において、ＳＰ（ｎ）は、一般式（Ｉ）に該当するｎ番目の水溶性溶媒の溶解性パラメータ、Ｗ（ｎ）は一般式（Ｉ）に該当するｎ番目の水溶性溶媒の含有量（質量％）、ｎは１以上の整数を示す。
【００３３】
本発明のインクは、上記に説明したような構成を有し、且つ、式（１）および（２）を同時に満たすために、長期噴射安定性、長期保存安定性、光学濃度、滲み、および、耐水性に優れるものであるが、インク中に含まれる３種以上の水溶性溶媒が、上記の式（１）および（２）のいずれかを満たすことができない場合には、長期噴射安定性、長期保存安定性、光学濃度、滲み、耐水性の全てを高いレベルで満足させることができない。
【００３４】
このような効果を奏するメカニズムについては明らかとなっていないが、本発明者は以下のように推定している。
まず、本発明のインク中に用いられる一般式（Ｉ）で示される水溶性溶媒について本発明者が鋭意検討したところ、この水溶性溶媒をインクに添加した場合、顔料との組合せを前提としてＤｒｏｐ速度向上や、Ｋｏｇａｔｉｏｎ（熱インクジェット方式を用いて印字を行う場合、プリントヘッドの印加パルス数が増えるに従い、プリントヘッドに設けられたヒータ上にインク成分が固着する現象）防止を確認した。
【００３５】
一方、ｋｏｇａｔｉｏｎはヒーターの熱ストレスによりインク成分が変成することが原因の一つであると考えられている。このＫｏｇａｔｉｏｎが発生することにより、インクの吐出性が低下し、光学濃度の低下や、噴射方向性の劣化が生じ、結果として長期噴射安定性が低下する傾向にある。
しかしながら、上記の結果から、本発明者は、インクへの一般式（Ｉ）で示される水溶性溶媒の添加が、Ｄｒｏｐ速度を速くし、インクの噴射特性を向上させることでＫｏｇａｔｉｏｎの影響による長期噴射安定性の劣化を防止しているものと推定している。また、このような長期噴射安定性の劣化の防止は、一般式（Ｉ）で示される水溶性溶媒が、インクがヒーターで加熱された際に生じる気泡の発生に何らかの影響を及ぼしているためであると推定される。
【００３６】
なお、従来のインクにおいても、一般式（Ｉ）で示される水溶性溶媒が使用されていたものの、このような水溶性溶媒は、インク中の水分の蒸発を防止して保存安定性を向上させるための保湿剤として利用されてきたものである。しかしながら、本発明者が鋭意検討したところ、インク中に一般式（Ｉ）で示される水溶性溶媒を添加しても、より長期間に渡りインクを保存しようとした場合には、保存安定性が低下する場合があった。このような長期での保存安定性の低下は、保管中にインクに含まれる色材の粒子径が増加している場合が確認されたことから、一般式（Ｉ）で示される水溶性溶媒が色材と相互作用し、この色材の分散を不安定化することが寄与しているものと推定される。
【００３７】
本発明者は、上記したような問題を解決するために、一般式（Ｉ）で示される水溶性溶媒を含む第１の水溶性溶媒群に、さらに第２および第３の水溶性溶媒群を組み合わせ、これらの水溶性溶媒が上記の式（１）および（２）の関係たすように作製したインクを用いることが有効であることを見出した。さらに、このような場合には、長期噴射安定性を損なうことなく長期保存安定性にも優れることの他にも、光学濃度、滲み、耐水性も高いレベルで満足させることができることが可能であることも見出した。
【００３８】
このように長期噴射安定性を損なうことなく、長期保存安定性にも優れるメカニズムについては明らかとなっていないが、▲１▼第１の水溶性溶媒群よりも疎水性である第３の水溶性溶媒群をインクに添加することにより、第１の水溶性溶媒群のインク中への溶解性を改善し、顔料と第１の水溶性溶媒群との相互作用を低減させること、▲２▼第１の水溶性溶媒群よりも親水性である第２の水溶性溶媒群をインクに添加することにより、インクの保湿性を確保し水分の過剰な蒸発を抑制すること、以上の２点が寄与しているものと推定される。
【００３９】
本発明のインクは、既述したように、インク中に含まれる３種の水溶性溶媒群が、上記の式（１）および（２）のいずれかを満たすことができない場合には、長期噴射安定性、長期保存安定性、光学濃度、滲み、耐水性の全てを高いレベルで満足させることができないものである。この場合、式（１）および（２）とこれらの特性との間には１：１の明確な対応関係が有るとは言い難いがいものの、以下のような傾向がある。
【００４０】
まず、Ｗ2／Ｗ1の値が１未満の場合には、水分蒸発により長期保存性が悪化する傾向にある。
また、Ｗ3／Ｗ1の値が０．２５未満の場合には、インク中の色材の粒径増大（分散状態の不安定化や凝集によるものと推定される）により長期保存性が悪化する傾向にある。さらに、Ｗ3／Ｗ1の値が０．７５を超える場合には、第１の水溶性溶媒群のインク中への溶解性が高まり、長期噴射安定性が低下する傾向にある。
【００４１】
なお、式（１）において、Ｗ2／Ｗ1の値は１．５以上であることが好ましく、２以上であることが更に好ましい。また、式（２）において、Ｗ3／Ｗ1の値は、０．３以上０．７以下の範囲内であることが好ましく、０．４以上０．６以下であることがより好ましい。
【００４２】
但し、本発明において、溶解性パラメーター（ＳＰ値）は、下式（４）で定義される値を意味する。ＳＰ値は、化学組成、蒸発熱、屈折率、カウリブタノール価、表面張力等を利用して求めることができるが、本発明においては化学組成から計算して求められたＦｅｄｏｒｓのＳＰ値を用いた。
【００４３】
【数２】
2004189870.tif 000003
【００４４】
但し、式（４）において、ＳＰは溶解性パラメーターを表し、ΔＥは凝集エネルギー（ｃａｌ／ｍｏｌ）を表し、Ｖはモル体積（ｃｍ3／ｍｏｌ）を表し、Δｅｉはｉ番目の原子又は原子団の蒸発エネルギー（ｃａｌ／原子又は原子団）を表し、Δｖｉはｉ番目の原子又は原子団のモル体積（ｃｍ3／原子又は原子団）を表し、ｉは１以上の整数を表す。
【００４５】
なお、式（４）で表されるＳＰ値は、慣行としてその単位がｃａｌ1/2／ｃｍ3/2となるように求められ、且つ、無次元で表記されるものである。これに加えて、本発明においては、２つの化合物間におけるＳＰ値の相対的な差が意義を持つため、本発明においては、上記した慣行に従い求められた値を用い、無次元で表記することとした。
なお、参考までに、式（４）で示されるＳＰ値をＳＩ単位（Ｊ1/2／ｍ3/2）に換算する場合には、２０４６を乗ずればよい。
【００４６】
本発明のインクは、上記に説明したようにインク中に含まれる水溶性溶媒の種類やその溶解性パラメーター、含有量に特徴を有するものであるが、以下にこれら以外の望ましい物性について説明する。
【００４７】
本発明のインク中に含まれる顔料等の色材のζ電位絶対値としては、３ｍＶ以上６０ｍＶ以下の範囲内であることが好ましく、より好ましくは５ｍＶ以上４０ｍＶ以下の範囲内であり、更に好ましくは、７．５ｍＶ以上３０ｍＶ以下の範囲内である。ζ電位絶対値が５ｍＶ未満の場合には、長期保存安定性が保てない場合がある。一方、ζ電位絶対値が６０ｍＶを超える場合には、色材の水への再分散性が高くなり、耐水性が悪化する場合がある。
【００４８】
本発明のインクの表面張力は、２０ｍＮ／ｍ以上４５ｍＮ／ｍ未満の範囲内であることが好ましい。より好ましくは、２５ｍＮ以上４０ｍＮ／ｍ未満の範囲内であり、更に好ましくは、２７．５ｍＮ／ｍ以上３７．５ｍＮ／ｍ未満の範囲内である。
インクの表面張力が２０ｍＮ／ｍ未満となると、インクの記録媒体への浸透性が速くなり、印字順による色ムラ、光学濃度、滲みが悪化する場合がある。逆に、４０ｍＮ／ｍを超えるとインクの記録媒体への浸透性が遅くなり、ベタ部濃度ムラが発生する場合がある。
【００４９】
また、本発明のインクの粘度は、１．２ｍＰａ・ｓ以上６．０ｍＰａ・ｓ未満の範囲内であることが好ましく、より好ましくは１．５ｍＰａ・ｓ以上４．５ｍＰａ・ｓ未満の範囲内であり、更に好ましくは１．８ｍＰａ・ｓ以上４．０ｍＰａ・ｓ未満の範囲内である。
【００５０】
インクの粘度が６．０ｍＰａ・ｓより大きい場合には、インクの吐出性が低下し、信頼性が低下する場合がある。
一方、インクの粘度が１．２ｍＰａ・ｓより小さい場合には、十分な光学濃度を得ることができない場合がある。これは、インクの記録媒体への浸透力が大きくなり、顔料が記録媒体内部に浸透するためであると考えられる。
【００５１】
次に、本発明のインクの構成成分（顔料、水溶性溶媒、その他の添加成分）の詳細について、説明する。
本発明において使用される顔料としては、有機顔料、無機顔料のいずれも使用でき、黒色顔料では、ファーネスブラック、ランプブラック、アセチレンブラック、チャンネルブラック等のカーボンブラック顔料等が挙げられる。黒色とシアン、マゼンタ、イエローの３原色顔料のほか、赤、緑、青、茶、白等の特定色顔料や、金、銀色等の金属光沢顔料、無色または淡色の体質顔料、プラスチックピグメント等を使用しても良い。また、本発明のために、新規に合成した顔料でも構わない。
【００５２】
具体例として，Ｒａｖｅｎ７０００，Ｒａｖｅｎ５７５０，Ｒａｖｅｎ５２５０，Ｒａｖｅｎ５０００  ＵＬＴＲＡ  ＩＩ，Ｒａｖｅｎ  ３５００，Ｒａｖｅｎ２０００，Ｒａｖｅｎ１５００，Ｒａｖｅｎ１２５０，Ｒａｖｅｎ１２００，Ｒａｖｅｎ１１９０  ＵＬＴＲＡ  ＩＩ，Ｒａｖｅｎ１１７０，Ｒａｖｅｎ１２５５，Ｒａｖｅｎ１０８０，Ｒａｖｅｎ１０６０（以上コロンビアン・カーボン社製）、Ｒｅｇａｌ４００Ｒ，Ｒｅｇａｌ３３０Ｒ，Ｒｅｇａｌ６６０Ｒ，Ｍｏｇｕｌ  Ｌ，Ｂｌａｃｋ  Ｐｅａｒｌｓ  Ｌ，Ｍｏｎａｒｃｈ  ７００，Ｍｏｎａｒｃｈ  ８００，Ｍｏｎａｒｃｈ  ８８０，Ｍｏｎａｒｃｈ  ９００，Ｍｏｎａｒｃｈ  １０００，Ｍｏｎａｒｃｈ  １１００，Ｍｏｎａｒｃｈ  １３００，Ｍｏｎａｒｃｈ  １４００（以上キャボット社製）、Ｃｏｌｏｒ  ＢｌａｃｋＦＷ１，Ｃｏｌｏｒ  Ｂｌａｃｋ  ＦＷ２，Ｃｏｌｏｒ  Ｂｌａｃｋ  ＦＷ２Ｖ，Ｃｏｌｏｒ  Ｂｌａｃｋ  １８，Ｃｏｌｏｒ  Ｂｌａｃｋ  ＦＷ２００，Ｃｏｌｏｒ  Ｂｌａｃｋ  Ｓ１５０，Ｃｏｌｏｒ  Ｂｌａｃｋ  Ｓ１６０，Ｃｏｌｏｒ  Ｂｌａｃｋ  Ｓ１７０，Ｐｒｉｎｔｅｘ３５，Ｐｒｉｎｔｅｘ  Ｕ，Ｐｒｉｎｔｅｘ  Ｖ，Ｐｒｉｎｔｅｘ１４０Ｕ，Ｐｒｉｎｔｅｘ１４０Ｖ，Ｓｐｅｃｉａｌ  Ｂｌａｃｋ  ６，Ｓｐｅｃｉａｌ  Ｂｌａｃｋ  ５，Ｓｐｅｃｉａｌ  Ｂｌａｃｋ  ４Ａ，Ｓｐｅｃｉａｌ  Ｂｌａｃｋ４（以上デグッサ社製）、Ｎｏ．２５，Ｎｏ．３３，Ｎｏ．４０，Ｎｏ．４７，Ｎｏ．５２，Ｎｏ．９００，Ｎｏ．２３００，ＭＣＦ−８８，ＭＡ６００，ＭＡ７，ＭＡ８，ＭＡ１００（以上三菱化学社製）等を挙げることが出来るが、これらに限定されるものではない。
【００５３】
シアン色にはＣ．Ｉ．Ｐｉｇｍｅｎｔ  Ｂｌｕｅ−１，Ｃ．Ｉ．Ｐｉｇｍｅｎｔ  Ｂｌｕｅ−２，Ｃ．Ｉ．Ｐｉｇｍｅｎｔ  Ｂｌｕｅ−３，Ｃ．Ｉ．Ｐｉｇｍｅｎｔ  Ｂｌｕｅ−１５，Ｃ．Ｉ．Ｐｉｇｍｅｎｔ  Ｂｌｕｅ−１５：１，Ｃ．Ｉ．Ｐｉｇｍｅｎｔ  Ｂｌｕｅ−１５：２，Ｃ．Ｉ．Ｐｉｇｍｅｎｔ  Ｂｌｕｅ−１５：３，Ｃ．Ｉ．Ｐｉｇｍｅｎｔ  Ｂｌｕｅ−１５：４，Ｃ．Ｉ．Ｐｉｇｍｅｎｔ  Ｂｌｕｅ−１６，Ｃ．Ｉ．Ｐｉｇｍｅｎｔ  Ｂｌｕｅ−２２，Ｃ．Ｉ．Ｐｉｇｍｅｎｔ  Ｂｌｕｅ−６０等が挙げられるが、これらに限定されるものではない。
【００５４】
マゼンタ色は、Ｃ．Ｉ．Ｐｉｇｍｅｎｔ  Ｒｅｄ−５，Ｃ．Ｉ．Ｐｉｇｍｅｎｔ  Ｒｅｄ−７，Ｃ．Ｉ．Ｐｉｇｍｅｎｔ  Ｒｅｄ−１２，Ｃ．Ｉ．Ｐｉｇｍｅｎｔ  Ｒｅｄ−４８，Ｃ．Ｉ．Ｐｉｇｍｅｎｔ  Ｒｅｄ−４８：１，Ｃ．Ｉ．Ｐｉｇｍｅｎｔ  Ｒｅｄ−５７，Ｃ．Ｉ．Ｐｉｇｍｅｎｔ  Ｒｅｄ−１１２，Ｃ．Ｉ．Ｐｉｇｍｅｎｔ  Ｒｅｄ−１２２，Ｃ．Ｉ．Ｐｉｇｍｅｎｔ  Ｒｅｄ−１２３，Ｃ．Ｉ．Ｐｉｇｍｅｎｔ  Ｒｅｄ−１４６，Ｃ．Ｉ．Ｐｉｇｍｅｎｔ  Ｒｅｄ−１６８，Ｃ．Ｉ．Ｐｉｇｍｅｎｔ  Ｒｅｄ−１８４，Ｃ．Ｉ．Ｐｉｇｍｅｎｔ  Ｒｅｄ−２０２等が挙げられるが、これらに限定されるものではない。
【００５５】
黄色は、Ｃ．Ｉ．Ｐｉｇｍｅｎｔ  Ｙｅｌｌｏｗ−１，Ｃ．Ｉ．Ｐｉｇｍｅｎｔ  Ｙｅｌｌｏｗ−２，Ｃ．Ｉ．Ｐｉｇｍｅｎｔ  Ｙｅｌｌｏｗ−３，Ｃ．Ｉ．Ｐｉｇｍｅｎｔ  Ｙｅｌｌｏｗ−１２，Ｃ．Ｉ．Ｐｉｇｍｅｎｔ  Ｙｅｌｌｏｗ−１３，Ｃ．Ｉ．Ｐｉｇｍｅｎｔ  Ｙｅｌｌｏｗ−１４，Ｃ．Ｉ．Ｐｉｇｍｅｎｔ  Ｙｅｌｌｏｗ−１６，Ｃ．Ｉ．Ｐｉｇｍｅｎｔ  Ｙｅｌｌｏｗ−１７，Ｃ．Ｉ．Ｐｉｇｍｅｎｔ  Ｙｅｌｌｏｗ−７３，Ｃ．Ｉ．Ｐｉｇｍｅｎｔ  Ｙｅｌｌｏｗ−７４，Ｃ．Ｉ．Ｐｉｇｍｅｎｔ  Ｙｅｌｌｏｗ−７５，Ｃ．Ｉ．Ｐｉｇｍｅｎｔ  Ｙｅｌｌｏｗ−８３，Ｃ．Ｉ．Ｐｉｇｍｅｎｔ  Ｙｅｌｌｏｗ−９３，Ｃ．Ｉ．Ｐｉｇｍｅｎｔ  Ｙｅｌｌｏｗ−９５，Ｃ．Ｉ．Ｐｉｇｍｅｎｔ  Ｙｅｌｌｏｗ−９７，Ｃ．Ｉ．Ｐｉｇｍｅｎｔ  Ｙｅｌｌｏｗ−９８，Ｃ．Ｉ．Ｐｉｇｍｅｎｔ  Ｙｅｌｌｏｗ−１１４，Ｃ．Ｉ．Ｐｉｇｍｅｎｔ  Ｙｅｌｌｏｗ−１２８，Ｃ．Ｉ．Ｐｉｇｍｅｎｔ  Ｙｅｌｌｏｗ−１２９，Ｃ．Ｉ．Ｐｉｇｍｅｎｔ  Ｙｅｌｌｏｗ−１３８，Ｃ．Ｉ．Ｐｉｇｍｅｎｔ  Ｙｅｌｌｏｗ−１５１，Ｃ．Ｉ．Ｐｉｇｍｅｎｔ  Ｙｅｌｌｏｗ−１５４等が挙げられるが、これらに限定されるものではない。
【００５６】
また、本発明に用いられる顔料としては、水に自己分散可能な顔料を用いることもできる。水に自己分散可能な顔料とは、顔料表面に水に対する可溶化基を数多く有し、高分子分散剤が存在しなくとも水中で安定に分散する顔料のことを指す。
具体的には、通常のいわゆる顔料に対して酸・塩基処理、カップリング剤処理、ポリマーグラフト処理、プラズマ処理、酸化／還元処理等の表面改質処理等を施すことにより、水に自己分散可能な顔料が得られる。
【００５７】
また、水に自己分散可能な顔料としては、上記顔料に対して表面改質処理を施した顔料の他、キャボット社製のＣａｂ−ｏ−ｊｅｔ−２００、Ｃａｂ−ｏ−ｊｅｔ−２５０、  Ｃａｂ−ｏ−ｊｅｔ−２６０、Ｃａｂ−ｏ−ｊｅｔ−２７０、Ｃａｂ−ｏ−ｊｅｔ−３００、ＩＪＸ−４４４、ＩＪＸ−５５、オリエント化学社製のＭｉｃｒｏｊｅｔ  Ｂｌａｃｋ  ＣＷ−１、Ｍｉｃｒｏｊｅｔ  Ｂｌａｃｋ  ＣＷ−２等の市販の自己分散顔料等も使用できる。
顔料として水に自己分散可能な顔料を用いる場合においても、インク中に高分子アニオン又は高分子カチオンを含んでも構わない。
【００５８】
インク中に含まれる顔料の含有量は、０．５から２０質量％の範囲内であることが好ましく、１から１０質量％の範囲内であることがより好ましい。インク中の顔料の含有量が０．５質量％未満の場合には、十分な光学濃度が得られない場合があり、含有量が２０質量％よりも多い場合には、インクの噴射特性が不安定となる場合がある。
【００５９】
本発明のインクには、下記高分子化合物を添加しても構わない。これらの高分子化合物は、通常の顔料を分散させる顔料分散剤として使用することができ、また、顔料として水に自己分散可能な顔料を用いる場合には添加剤として使用することも出来る。
高分子化合物としては、ノニオン性化合物、アニオン性化合物、カチオン性化合物、両性化合物等が使用でき、例えば、α，β−エチレン性不飽和基を有するモノマーの共重合体等が使用できる。
【００６０】
具体的には、α，β−エチレン性不飽和基を有するモノマーとして、アクリル酸、メタクリル酸、クロトン酸、イタコン酸、イタコン酸モノエステル、マレイン酸、マレイン酸モノエステル、フマル酸、フマル酸モノエステル、ビニルスルホン酸、スチレンスルホン酸、スルホン化ビニルナフタレン、ビニルアルコール、アクリルアミド、メタクリロキシエチルホスフェート、ビスメタクリロキシエチルホスフェート、メタクリロキシエチルフェニルアシドホスフェート、エチレングリコールジメタクリレート、ジエチレングリコールジメタクリレート、スチレン、α−メチルスチレン、ビニルトルエン等のスチレン誘導体、ビニルシクロヘキサン、ビニルナフタレン、ビニルナフタレン誘導体、アクリル酸アルキルエステル、アクリル酸フェニルエステル、メタクリル酸アルキルエステル、メタクリル酸フェニルエステル、メタクリル酸シクロアルキルエステル、クロトン酸アルキルエステル、イタコン酸ジアルキルエステル、マレイン酸ジアルキルエステル等が挙げられる。
【００６１】
上記α，β−エチレン性不飽和基を有するモノマーの単独若しくは複数を共重合して得られる共重合体が高分子分散剤として使用される。具体的には、ポリビニルアルコール、ポリビニルピロリドン、スチレン−スチレンスルホン酸共重合体、スチレン−マレイン酸共重合体、スチレン−メタクリル酸共重合体、スチレン−アクリル酸共重合体、ビニルナフタレン−マレイン酸共重合体、ビニルナフタレン−メタクリル酸共重合体、ビニルナフタレン−アクリル酸共重合体、アクリル酸アルキルエステル−アクリル酸共重合体、メタクリル酸アルキルエステル−メタクリル酸、スチレン−メタクリル酸アルキルエステル−メタクリル酸共重合体、スチレン−アクリル酸アルキルエステル−アクリル酸共重合体、スチレン−メタクリル酸フェニルエステル−メタクリル酸共重合体、スチレン−メタクリル酸シクロヘキシルエステル−メタクリル酸共重合体等が挙げられる。
【００６２】
インクに添加される上記に列挙したような高分子化合物は、その質量平均分子量が２０００〜１５０００の範囲内であることが好ましい。高分子物質の分子量が２０００未満の場合、顔料分散性が低下する場合があり、一方、分子量が１５０００を超える場合には、インクの粘度が高くなり、吐出性が悪化する場合がある。なお、高分子化合物のより好ましい質量平均分子量は、３５００〜１００００範囲内である。
【００６３】
インク中に高分子化合物を添加する場合には、その添加量は０．１〜３質量％の範囲内であることが好ましい。添加量が３質量％を超える場合には、インク粘度が高くなり、インクの噴射特性が不安定となる場合がある。一方、添加量が０．１質量％未満の場合には、顔料の分散安定性が低下する場合がある。インクへの高分子化合物の添加量としては、０．１５〜２．５質量％の範囲内がより好ましく、０．２〜２質量％の範囲内が更に好ましい。
【００６４】
本発明に用いられる水溶性有機溶媒としては、多価アルコール類、多価アルコール類誘導体、含窒素溶媒、アルコール類、含硫黄溶媒等、公知の水溶性溶媒を用いることができる。
具体例としては、多価アルコール類では、エチレングリコール、ジエチレングリコール、プロピレングリコール、ブチレングリコール、トリエチレングリコール、テトラエチレングリコール、ペンタエチレングリコール、ヘキサエチレングリコール、トリプロピレングリコール、１、５−ペンタンジオール、１，２，６−ヘキサントリオール、グリセリン等が挙げられる。
【００６５】
多価アルコール誘導体としては、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノブチルエーテル、ジプロピレングリコールモノブチルエーテル、ジグリセリンのエチレンオキサイド付加物等が挙げられる。
【００６６】
含窒素溶媒としては、ピロリドン、Ｎ−メチル−２−ピロリドン、シクロヘキシルピロリドン、トリエタノールアミン等が、アルコール類としてはエタノール、イソプロピルアルコール、ブチルアルコール、ベンジルアルコール等のアルコール類が、含硫黄溶媒としては、チオジエタノール、チオジグリセロール、スルホラン、ジメチルスルホキシド等が挙げられる。その他、炭酸プロピレン、炭酸エチレン等を用いることも出来る。
【００６７】
但し、第１の水溶性溶媒群は、既述した一般式（Ｉ）で示される水溶性溶媒が用いられることが必要であり、具体的にはトリエチレングリコール、テトラエチレングリコール、ペンタエチレングリコール、ヘキサエチレングリコール、トリプロピレングリコールの群から選ばれる１種、あるいは、２種以上の組み合わせを用いることができる。
なお、第１の水溶性溶媒群が、２種以上の一般式（Ｉ）で示される水溶性溶媒を含む場合は、第１の水溶性溶媒群の溶解性パラメータＳＰ1は、既述した式（３）により求められる。
【００６８】
また、第１の水溶性溶媒群には、一般式（Ｉ）以外の水溶性溶媒が１種以上含まれていてもよい。但し、第１の水溶性溶媒群に含まれる一般式（Ｉ）以外の水溶性溶媒（以下、「一般式（Ｉ）以外の水溶性溶媒」と略す場合がある）とは、その溶解性パラメータが、一般式（Ｉ）で示される１種以上の水溶性溶媒の溶解性パラメータＳＰ1（２種以上の場合は、式（３）に基き求められた値）との差の絶対値が１未満である水溶性溶媒を意味する。
【００６９】
第１の水溶性溶媒群として、一般式（Ｉ）で示される１種の水溶性溶媒以外に、一般式（Ｉ）以外の水溶性溶媒も含まれる場合、両者の組み合わせとしては、溶解性パラメータが上記した条件を満たすものであれば特に限定されるものではないが、具体例としては次のような組合せを挙げることができる。
【００７０】
一般式（Ｉ）で示される水溶性溶媒としてトリエチレングリコールを用いる場合には、一般式（Ｉ）以外の水溶性溶媒として１，２−ヘキサンジオール、ポリビニルピロリドン、ジグリセリンエチレンオキサイド付加物などを１種以上組み合わせて用いることが可能であり、一般式（Ｉ）で示される水溶性溶媒としてテトラエチレングリコールを用いる場合には、一般式（Ｉ）以外の水溶性溶媒として１，２−ヘキサンジオール、ジグリセリンエチレンオキサイド付加物、ポリビニルピロリドン、２−ピロリドン、エチレングリコールモノメチルエーテルなどを１種以上組み合わせて用いることが可能であり、一般式（Ｉ）で示される水溶性溶媒としてペンタエチレングリコールを用いる場合には、一般式（Ｉ）以外の水溶性溶媒としてジエチレングリコールモノメチルエーテル、プロピレングリコールモノメチルエーテル、エチレングリコールモノエチルエーテル、ポリビニルピロリドン、ジグリセリンエチレンオキサイド付加物、エチレングリコールモノメチルエーテル、２−ピロリドンなどを１種以上組み合わせて用いることが可能である。
【００７１】
また、一般式（Ｉ）で示される水溶性溶媒としてヘキサエチレングリコールを用いる場合には、一般式（Ｉ）以外の水溶性溶媒としてポリビニルピロリドン、２−ピロリドン、エチレングリコールモノメチルエーテル、ジグリセリンエチレンオキサイド付加物、エチレングリコールモノエチルエーテル、プロピレングリコールモノメチルエーテル、ジエチレングリコールモノメチルエーテル、プロピレングリコールモノエチルエーテル、ジエチレングリコールモノエチルエーテルなどを１種以上組み合わせて用いることが可能であり、一般式（Ｉ）で示される水溶性溶媒としてトリプロピレングリコールを使用する場合には、一般式（Ｉ）以外の水溶性溶媒としてジエチレングリコールモノメチルエーテル、プロピレングリコールモノメチルエーテル、エチレングリコールモノエチルエーテル、ジグリセリンエチレンオキサイド付加物、エチレングリコールモノメチルエーテル、ポリビニルピロリドン、２−ピロリドンなどを１種以上組み合わせて用いることが可能である。
【００７２】
なお、一般式（Ｉ）で示される水溶性溶媒が２種以上である場合は、既述した式（３）に基き求めた溶解性パラメータＳＰ1との差の絶対値が１未満である一般式（Ｉ）以外の水溶性溶媒（例えば、上記に列挙したような一般式（Ｉ）以外の水溶性溶媒）を１種以上選択し、組み合わせて用いることができる。
【００７３】
また、第２の水溶性溶媒群は、第１の水溶性溶媒群の溶解性パラメータＳＰ1よりも１以上大きい溶解性パラメータを有する水溶性溶媒であれば特に限定されないが、例えば、エチレングリコール、ジエチレングリコール、プロピレングリコール、グリセリン、エタノール、イソプロピルアルコールからなる群の中から上記関係を満たすものを用いることが好ましく、複数種用いることも出来る。
【００７４】
同様に、第３の水溶性溶媒群は、第１の水溶性溶媒群の溶解性パラメータＳＰ1よりも１以上小さい溶解性パラメータを有する水溶性溶媒であれば特に限定されないが、例えば、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノブチルエーテル、ジプロピレングリコールモノブチルエーテル、ジグリセリンのエチレンオキサイド付加物、ピロリドン、Ｎ−メチル−２−ピロリドン、シクロヘキシルピロリドン、スルホランからなる群の中から上記の関係を満たすものを用いることがが好ましく、複数種用いることが出来る。
【００７５】
インク中に含まれる全ての水溶性有機溶媒の含有量としては、１〜６０質量％の範囲内であることが好ましく、５〜４０質量％の範囲内であることがより好ましい。
インク中に含まれる全ての水溶性有機溶媒の含有量が、１質量％よりも少ない場合には、十分な光学濃度が得られない場合があり、逆に、６０質量％よりも多い場合には、インク粘度が大きくなり、インクの噴射特性が不安定になる場合がある。
【００７６】
本発明のインクには必要に応じて界面活性剤を添加することもできる。この界面活性剤としては、分子内に親水部と疎水部を合わせ持つ構造を有する化合物等を使用することが出来、アニオン性界面活性剤、カチオン性界面活性剤、両性界面活性剤、ノニオン性界面活性剤等のいずれを使用しても構わない。又、既述した高分子化合物（高分子分散剤）を界面活性剤として使用することも出来る。
【００７７】
アニオン性界面活性剤としては、アルキルベンゼンスルホン酸塩、アルキルフェニルスルホン酸塩、アルキルナフタレンスルホン酸塩、高級脂肪酸塩、高級脂肪酸エステルの硫酸エステル塩、高級脂肪酸エステルのスルホン酸塩、高級アルコールエーテルの硫酸エステル塩およびスルホン酸塩、高級アルキルスルホコハク酸塩、高級アルキルリン酸エステル塩、高級アルコールエチレンオキサイド付加物のリン酸エステル塩等が使用でき、例えば、ドデシルベンゼンスルホン酸塩、ケリルベンゼンスルホン酸塩、イソプロピルナフタレンスルホン酸塩、モノブチルフェニルフェノールモノスルホン酸塩、モノブチルビフェニルスルホン酸塩、モノブチルビフェニルスルホン酸塩、ジブチルフェニルフェノールジスルホン酸塩等も有効に使用される。
【００７８】
ノニオン性界面活性剤としては、例えば、ポリプロピレングリコールエチレンオキサイド付加物、ポリオキシエチレンノニルフェニルエーテル、ポリオキシエチレンオクチルフェニルエーテル、ポリオキシエチレンドデシルフェニルエーテル、ポリオキシエチレンアルキルエーテル、ポリオキシエチレン脂肪酸エステル、ソルビタン脂肪酸エステル、ポリオキシエチレンソルビタン脂肪酸エステル、脂肪酸アルキロールアミド、アセチレングリコール、アセチレングリコールのオキシエチレン付加物、脂肪族アルカノールアミド、グリセリンエステル、ソルビタンエステル等が挙げられる。
【００７９】
カチオン性界面活性剤としては、テトラアルキルアンモニウム塩、アルキルアミン塩、ベンザルコニウム塩、アルキルピリジウム塩、イミダゾリウム塩等が挙げられ、例えば、ジヒドロキシエチルステアリルアミン、２−ヘプタデセニル−ヒドロキシエチルイミダゾリン、ラウリルジメチルベンジルアンモニウムクロライド、セチルピリジニウムクロライド、ステアラミドメチルピリジウムクロライド等が挙げられる。
【００８０】
その他、ポリシロキサンオキシエチレン付加物等のシリコーン系界面活性剤や、パーフルオロアルキルカルボン酸塩、パーフルオロアルキルスルホン酸塩、オキシエチレンパーフルオロアルキルエーテル等のフッ素系界面活性剤、スピクリスポール酸やラムノリピド、リゾレシチン等のバイオサーファクタント等も使用できる。
【００８１】
上記に列挙した界面活性剤の中でも顔料の分散安定性という観点から、ノニオン性界面活性剤が好ましい。また、浸透性制御の観点より、アセチレングリコール、アセチレングリコールのオキシエチレン付加物、ポリオキシエチレンアルキルエーテル等が特に好ましい。
【００８２】
インク中に添加する界面活性剤の添加量は、１０質量％未満であることが好ましく、より好ましくは０．０１〜５質量％の範囲内であり、更に好ましくは０．０１〜３質量％の範囲内である。添加量が１０質量％以上の場合には、光学濃度、及び、インクの保存安定性が悪化する場合がある。
【００８３】
さらに、本発明のインクには、その他、インク吐出性改善等の特性制御を目的として、ポリエチレンイミン、ポリアミン類、ポリビニルピロリドン、ポリエチレングリコール、エチルセルロース、カルボキシメチルセルロース等のセルロース誘導体、多糖類及びその誘導体、その他水溶性ポリマー、アクリル系ポリマーエマルション、ポリウレタン系エマルション等のポリマーエマルション、シクロデキストリン、大環状アミン類、デンドリマー、クラウンエーテル類、尿素及びその誘導体、アセトアミド等を用いることができる。
【００８４】
また、導電率、ｐＨを調整するため、水酸化カリウム、水酸化ナトリウム、水酸化リチウム等のアルカリ金属類の化合物、水酸化アンモニウム、トリエタノールアミン、ジエタノールアミン、エタノールアミン、２−アミノ−２−メチル−１−プロパノール等の含窒素化合物、水酸化カルシウム等のアルカリ土類金属類の化合物、硫酸、塩酸、硝酸等の酸、硫酸アンモニウム等の強酸と弱アルカリの塩等を使用することが出来る。
その他必要に応じ、ｐＨ緩衝剤、酸化防止剤、防カビ剤、粘度調整剤、導電剤、紫外線吸収剤、及びキレート化剤等も添加することができる。
【００８５】
（インクジェット記録方法）
次に、本発明のインクジェット記録方法について説明する。本発明のインクジェット記録方法は、本発明のインクを用いて記録媒体に印字する方法であれば特に限定されないが、具体的には以下のような方法であることが好ましい。
【００８６】
本発明のインクジェット記録方法において、印字に用いる記録媒体としては、多価金属塩、有機カチオン物質、又は、有機アニオン物質を含有する記録媒体を用いることが好適である。
【００８７】
このような記録媒体を本発明のインクと組み合わせて用いることで、記録媒体上でインク中に含まれる顔料等の色材を急速に凝集させることが可能となり、光学濃度、滲み等の画質をより改善することが可能となる。
【００８８】
なお、上記した多価金属塩、有機カチオン物質、又は、有機アニオン物質を含有する記録媒体の表面に滴下されたインク中に含まれる粒子径５μｍ以上の粒子数は１．０×１０2個／μＬ以上であることが好ましく、より好ましくは５．０×１０2個／μＬ以上であり、更に好ましくは１．０×１０3個／μＬ以上である。
記録媒体の表面に滴下されたインク中に含まれる粒子径５μｍ以上の粒子数が１．０×１０2個／μＬ未満である場合には、光学濃度、滲みが不充分である場合がある。
【００８９】
多価金属塩、有機カチオン物質、又は、有機アニオン物質（以下、これらの物質を「インク凝集剤」と略す場合がある）を含有する記録媒体の表面に滴下されたインク中に含まれる粒子径５μｍ以上の粒子数の測定は、インク凝集剤を含む記録媒体表面にインクを０．１ｍｌ滴下し、滴下後５秒以内に前記記録媒体表面に存在するインクを２μＬ採取し、Ａｃｃｕｓｉｚｅｒ  TM７７０  Ｏｐｔｉｃａｌ  Ｐａｒｔｉｃｌｅ  Ｓｉｚｅｒ  （Ｐａｒｔｉｃｌｅ  Ｓｉｚｉｎｇ  Ｓｙｓｔｅｍｓ社製）を用いて実施した。
【００９０】
なお、測定時に、上記測定装置に入力する設定パラメータとして、前記混合液中に分散する粒子の密度としては顔料の密度を用いた。前記顔料の密度は、顔料分散液を加熱、乾燥させることによって得られた紛体を比重計、または、比重ビン等を用いて測定することにより求めることが出来る。
【００９１】
また、本発明のインクジェト記録方法としては、多価金属塩、有機カチオン物質、又は、有機アニオン物質を含有する液体組成物を記録媒体表面に付与した後、前記記録媒体表面の前記液体組成物が付与された領域に、本発明のインクを用いて印字することが好適である。なお、液体組成物中に含まれる、多価金属塩、有機カチオン物質、有機アニオン物質は上記に説明したような記録媒体表面に含まれるものと同様のもの（インク凝集剤）を用いることができる。
【００９２】
このように記録媒体に液体組成物を付与した後に、本発明のインクを用いて印字することにより、記録媒体上でインク中に含まれる顔料等の色材を急速に凝集させることが可能となり、光学濃度、滲み等の画質をより改善することが可能となる。
【００９３】
なお、上記した多価金属塩、有機カチオン物質、又は、有機アニオン物質、すなわちインク凝集剤を含有する液体組成物と、本発明のインクとを混合した混合溶液中に含まれる粒子径５μｍ以上の粒子数は１．０×１０3個／μＬ以上であることが好ましく、より好ましくは５．０×１０3個／μＬ以上であり、更に好ましくは１．０×１０4個／μＬ以上である。
記録媒体の表面に滴下されたインク中に含まれる５μｍ以上粒子数が１．０×１０3個／μＬ未満である場合には、光学濃度、滲みが不充分である場合がある。
【００９４】
インク凝集剤を含有する液体組成物と、本発明のインクとを混合した混合溶液中に含まれる粒子径５μｍ以上の粒子数の測定は、インクと液体組成物とを質量比で１：１の割合で混合し、撹拌しながら混合液２μＬを採取し、Ａｃｃｕｓｉｚｅｒ  TM７７０  Ｏｐｔｉｃａｌ  Ｐａｒｔｉｃｌｅ  Ｓｉｚｅｒ  （Ｐａｒｔｉｃｌｅ  Ｓｉｚｉｎｇ  Ｓｙｓｔｅｍｓ社製）を用い、混合後、１０秒以内に測定した。なお、測定時の装置の設定等、その他の条件については上記した場合と同様である。
【００９５】
本発明のインクジェット記録方法に用いられる液体組成物は、インク凝集剤を含むものであれば特に限定されないが、界面活性剤が添加されたものであってもよい。この界面活性剤としては、既述したインクに添加することができる界面活性剤と同様のものを用いることができる。
【００９６】
液体組成物の表面張力は、２０ｍＮ／ｍ以上４５ｍＮ／ｍ未満の範囲内であることが好ましい。より好ましくは、２５ｍＮ以上４０ｍＮ／ｍ未満の範囲内であり、更に好ましくは、２７．５ｍＮ／ｍ以上３７．５ｍＮ／ｍ未満の範囲内である。
表面張力が２０ｍＮ／ｍ未満となると液体組成物の記録媒体への浸透性が速くなり、印字順による色ムラ、光学濃度、滲みが悪化する場合がある。逆に、４０ｍＮ／ｍを超えると浸透性が遅くなり、ベタ部濃度ムラが発生する場合がある。
【００９７】
液体組成物の粘度は、１．２ｍＰａ・ｓ以上６．０ｍＰａ・ｓ未満の範囲内であることが好ましく、より好ましくは１．５ｍＰａ・ｓ以上４．５ｍＰａ・ｓ未満の範囲内であり、更に好ましくは１．８ｍＰａ・ｓ以上４．０ｍＰａ・ｓ未満の範囲内である。
【００９８】
液体組成物の粘度が６．０ｍＰａ・ｓより大きい場合には、ノズルからの吐出性が低下し、信頼性が低下する場合がある。
一方、液体組成物の粘度が１．２ｍＰａ・ｓより小さい場合には、十分な光学濃度を得ることができない。これは、液体組成物の記録媒体への浸透力が大きくなり、顔料が記録媒体内部に浸透するためであると考えられる。
【００９９】
次に、記録媒体表面や、液体組成物に含まれるインク凝集剤、すなわち、多価塩金属、有機カチオン物質、および、有機アニオン物質の詳細について説明する。
【０１００】
記録媒体表面に含まれる多価金属塩、又は、液体組成物中に添加することが可能な多価金属塩としては、アルミニウムイオン、バリウムイオン、カルシウムイオン、銅イオン、鉄イオン、マグネシウムイオン、マンガンイオン、ニッケルイオン、スズイオン、チタンイオン、亜鉛イオン等の多価金属イオンと、塩酸、臭酸、ヨウ化水素酸、硫酸、硝酸、リン酸、チオシアン酸、および、酢酸、蓚酸、乳酸、フマル酸、フマル酸、クエン酸、サリチル酸、安息香酸等の有機カルボン酸及び、有機スルホン酸の塩等が挙げられる。
【０１０１】
具体例としては、塩化アルミニウム、臭化アルミニウム、硫酸アルミニウム、硝酸アルミニウム、硫酸ナトリウムアルミニウム、硫酸カリウムアルミニウム、酢酸アルミニウム、塩化バリウム、臭化バリウム、ヨウ化バリウム、酸化バリウム、硝酸バリウム、チオシアン酸バリウム、塩化カルシウム、臭化カルシウム、ヨウ化カルシウム、亜硝酸カルシウム、硝酸カルシウム、リン酸二水素カルシウム、チオシアン酸カルシウム、安息香酸カルシウム、酢酸カルシウム、サリチル酸カルシウム、酒石酸カルシウム、乳酸カルシウム、フマル酸カルシウム、クエン酸カルシウム、塩化銅、臭化銅、硫酸銅、硝酸銅、酢酸銅、塩化鉄、臭化鉄、ヨウ化鉄、硫酸鉄、硝酸鉄、蓚酸鉄、乳酸鉄、フマル酸鉄、クエン酸鉄、塩化マグネシウム、臭化マグネシウム、ヨウ化マグネシウム、硫酸マグネシウム、硝酸マグネシウム、酢酸マグネシウム、乳酸マグネシウム、塩化マンガン、硫酸マンガン、硝酸マンガン、リン酸二水素マンガン、酢酸マンガン、サリチル酸マンガン、安息香酸マンガン、乳酸マンガン、塩化ニッケル、臭化ニッケル、硫酸ニッケル、硝酸ニッケル、酢酸ニッケル、硫酸スズ、塩化チタン、塩化亜鉛、臭化亜鉛、硫酸亜鉛、硝酸亜鉛、チオシアン酸亜鉛、酢酸亜鉛等の多価金属類の塩等が挙げられる。
【０１０２】
続いて、有機カチオン物質としては、１級、２級、３級および４級アミンおよびそれらの塩等が挙げられる。具体例としては、テトラアルキルアンモニウム塩、アルキルアミン塩、ベンザルコニウム塩、アルキルピリジウム塩、イミダゾリウム塩、ポリアミン等が挙げられ、例えば、イソプロピルアミン、イソブチルアミン、ｔ−ブチルアミン、２−エチルヘキシルアミン、ノニルアミン、ジプロピルアミン、ジエチルアミン、トリメチルアミン、トリエチルアミン、ジメチルプロピルアミン、エチレンジアミン、プロピレンジアミン、ヘキサメチレンジアミン、ジエチレントリアミン、テトラエチレンペンタミン、ジエタノールアミン、ジエチルエタノールアミン、トリエタノールアミン、テトラメチルアンモニウムクロライド、テトラエチルアンモニウムブロマイド、ジヒドロキシエチルステアリルアミン、２−ヘプタデセニル−ヒドロキシエチルイミダゾリン、ラウリルジメチルベンジルアンモニウムクロライド、セチルピリジニウムクロライド、ステアラミドメチルピリジウムクロライド、ジアリルジメチルアンモニウムクロライド重合体、ジアリルアミン重合体、モノアリルアミン重合体等が挙げられる。
【０１０３】
好ましくは、硫酸アルミニウム、塩化カルシウム、硝酸カルシウム、酢酸カルシウム、塩化マグネシウム、硝酸マグネシウム、硫酸マグネシウム、酢酸マグネシウム、硫酸スズ、塩化亜鉛、硝酸亜鉛、硫酸亜鉛、酢酸亜鉛、硝酸アルミニウム、モノアリルアミン重合体、ジアリルアミン重合体、ジアリルジメチルアンモニウムクロライド重合体等が挙げられる。
【０１０４】
また、有機アニオン物質としては、カルボン酸、スルホン酸、リン酸などを使用することが出来、例えば、酢酸、蓚酸、乳酸、フマル酸、クエン酸、サリチル酸、安息香酸、ベンゼンスルホン酸、トルエンスルホン酸、ヒドロキシベンゼンスルホン酸、リン酸トリフェニルなどが挙げられる。
【０１０５】
本発明のインクジェット記録方法は、公知のインクジェット方式であれば特に限定されず、熱インクジェット方式やピエゾインクジェット方式を用いて記録媒体表面に印字することができる。
【０１０６】
本発明のインクジェット記録方法においては、インクが記録媒体表面に付与される際のドロップ量（付与量）が、液滴１ドロップ当り２５ｎｇ以下であることが好ましく、より好ましくは、０．５ｎｇ以上２０ｎｇ以下の範囲内であり、更に好ましくは、２．５ｎｇ以上１８ｎｇ以下の範囲内である。
ドロップ量が、液滴１ドロップ当り２５ｎｇを超える場合には、滲みが激しい場合や乾燥時間が遅くなる場合がある。これは、例えば、インクを凝集させる作用を有する液体組成物が記録媒体表面に存在した場合、インクと記録媒体との接する面でインクが凝集し、インクの浸透が阻害され、この際、インクのドロップ量が多い場合には、紙表面方向にインクが広がってしまうためであると考えられる。
【０１０７】
また、滲みの改善効果という観点から熱インクジェット方式を用いることがより好ましい。この原因は明らかとはなっていないが、ノズルからインクが吐出される際には、加熱されたインクの粘度は低くなっているものの、記録媒体表面に付与された際にはインクの温度が低下するため、粘度が急激に大きくなる。このため、滲みに改善効果があると考えられる。
【０１０８】
以上に説明したような、本発明のインクおよびインクジェット記録方法は、通常のインクジェット記録装置は勿論、インクのドライングを制御するためのヒーター等を搭載したインクジェット記録装置、または、中間体転写機構を搭載し、中間体にインクを印字した後、紙等の記録媒体に転写するインクジェット記録装置等においても用いることもできる。
【０１０９】
【実施例】
以下に本発明を実施例を挙げてより具体的に説明する。但し、本発明は以下の実施例に限定されるものではない。
【０１１０】
（インク）
実施例に用いたインクは、以下の顔料処理方法１、顔料処理方法２、または、インク作製方法を利用して作製した。
【０１１１】
−顔料処理方法１−
顔料に次亜塩素酸ナトリウムで表面酸化処理を施した後、脱塩処理を行なった。このようにして得られた表面処理顔料を顔料濃度が２０質量％となるようにイオン交換水中に加え、ｐＨを７．５に調整した後、超音波ホモジナイザーを用いて分散を行なった。この分散液を遠心分離装置で、遠心分離処理（８０００ｒｐｍ×３０分）を施し、残渣部分（全量に対して２０質量％）を除去した
【０１１２】
−顔料処理方法２−
顔料（Ｂｌａｃｋ  Ｐｅａｒｌｓ  Ｌ，キャボット社）３０質量部に対して、スチレン−アクリル酸共重合体のナトリウム中和塩を３質量部と、イオン交換水とを加え、総量を３００質量部とした。この混合液を超音波ホモジナイザーで分散させた後、この分散液を遠心分離装置で、遠心分離処理（８０００ｒｐｍ×３０分）を施し、残渣部分１００質量部を除去した。続いて、２μｍのフィルターを用いて濾過を行い、所望の顔料分散液を得た。
【０１１３】
−インク作製方法−
適量の顔料分散液に、水溶性有機溶媒、界面活性剤、イオン交換水等を適量加え、各材料が所定量含まれるようにインクを調整した。これを、混合、攪拌し、２μｍフィルターをかけ、所望のインクを得た。
【０１１４】
＜Ｉｎｋ−１＞
上記インク作製方法に従って、下記組成物を含むインク（Ｉｎｋ−１）を作製した。
・Ｃａｂｏｊｅｔ−３００（キャボット社製）：４質量％
・ジエチレングリコール（ＳＰ＝１５．０）：８質量％
・トリエチレングリコール（ＳＰ＝１３．６）：４質量％
・Ｎ−メチル−２−ピロリドン（ＳＰ＝１０．８）：２質量％
・尿素：５質量％
・アセチレングリコールエチレンオキサイド付加物：１質量％
・イオン交換水：７６質量％
このインクの、粘度は２．３ｍＰａ・ｓ、表面張力は３２ｍＮ／ｍであった。
【０１１５】
＜Ｉｎｋ−２＞
上記インク作製方法に従って、下記組成物を含むインク（Ｉｎｋ−２）を作製した
・ＩＪＸ２５３（キャボット社）：５質量％
・ｎ−ブチルメタクリレート−メタクリル酸−メタクリル酸ナトリウム共重合体：０．１５質量％
・グリセリン（ＳＰ＝２０．０）：１０質量％
・トリプロピレングリコール（ＳＰ＝１２．１）：５質量％
・ブチルカルビトール（ＳＰ＝１０．５）：３質量％
・尿素：４質量％
・ポリオキシエチレン２−エチルヘキシルエーテル：１質量％
・イオン交換水：７１．８５質量％
このインクの粘度は２．８ｍＰａ・ｓ、表面張力は３３ｍＮ／ｍであった。
【０１１６】
＜Ｉｎｋ−３＞
顔料処理方法１に従って顔料を処理し、続いて、上記インク作製方法に従って下記組成物を含むインク（Ｉｎｋ−３）を作製した
・Ｃ．Ｉ．Ｐｉｇｍｅｎｔ  Ｒｅｄ  １２２：４質量％
・スチレン−メタクリル酸−メタクリル酸ナトリウム共重合体：０．１質量％
・チオジエタノール（ＳＰ＝１５．２）：８質量％
・テトラエチレングリコール（ＳＰ＝１２．８）：８質量％
・プロピレングリコールエチレンオキサイド付加物（ＳＰ＝１０．９）：４質量％
・尿素：５質量％
・アセチレングリコールエチレンオキサイド付加物：０．８質量％
・イオン交換水：７０．１質量％
このインクの粘度は２．５ｍＰａ・ｓ、表面張力は３１ｍＮ／ｍであった。
【０１１７】
＜Ｉｎｋ−４＞
顔料処理方法２に従って顔料を処理し、続いて、上記インク作製方法に従って下記組成物を含むインク（Ｉｎｋ−４）を作製した。
・Ｂｌａｃｋ  Ｐｅｒａｌｓ  Ｌ（キャボット社製）：４質量％
・スチレン−アクリル酸共重合体ナトリウム中和塩：０．４質量％
・ジエチレングリコール（ＳＰ＝１５．０）：１０質量％
・トリエチレングリコール（ＳＰ＝１３．６）：５質量％
・ジグリセリンエチレンオキサイド付加物（ＳＰ＝１１．６）：３．５質量％
・尿素：６質量％
・アセチレングリコールエチレンオキサイド付加物：０．２５質量％
・イオン交換水：７０．８５質量％
このインクの粘度は２．５ｍＰａ・ｓ、表面張力は３１ｍＮ／ｍであった。
【０１１８】
＜Ｉｎｋ−５＞
顔料処理方法１に従って顔料を処理し、続いて、上記インク作製方法に従って下記組成物を含むインク（Ｉｎｋ−５）を作製した
・Ｃ．Ｉ．Ｐｉｇｍｅｎｔ  Ｒｅｄ  １２２：４質量％
・ジエチレングリコール（ＳＰ＝１５．０）：１５質量％
・Ｎ−メチル−２−ピロリドン（ＳＰ＝１０．８）：５質量％
・尿素：５質量％
・アセチレングリコールエチレンオキサイド付加物：１質量％
・イオン交換水：７０質量％
このインクの、粘度は２．２ｍＰａ・ｓ、表面張力は３２ｍＮ／ｍであった。
【０１１９】
＜Ｉｎｋ−６＞
顔料処理方法１に従って顔料を処理し、続いて、上記インク作製方法に従って下記組成物を含むインク（Ｉｎｋ−６）を作製した
・Ｃ．Ｉ．Ｐｉｇｍｅｎｔ  Ｒｅｄ  １２２：４質量％
・ジエチレングリコール（ＳＰ＝１５．０）：４質量％
・トリエチレングリコール（ＳＰ＝１３．６）：８質量％
・Ｎ−メチル−２−ピロリドン（ＳＰ＝１０．８）：４質量％
・尿素：５質量％
・アセチレングリコールエチレンオキサイド付加物：１質量％
・イオン交換水：７４質量％
このインクの、粘度は２．５ｍＰａ・ｓ、表面張力は３２ｍＮ／ｍであった。
【０１２０】
＜Ｉｎｋ−７＞
顔料処理方法１に従って顔料を処理し、続いて、上記インク作製方法に従って下記組成物を含むインク（Ｉｎｋ−７）を作製した
・Ｃ．Ｉ．Ｐｉｇｍｅｎｔ  Ｒｅｄ  １２２：４質量％
・ジエチレングリコール（ＳＰ＝１５．０）：８質量％
・トリエチレングリコール（ＳＰ＝１３．６）：４質量％
・Ｎ−メチル−２−ピロリドン（ＳＰ＝１０．８）：０．５質量％
・尿素：５質量％
・アセチレングリコールエチレンオキサイド付加物：１質量％
・イオン交換水：７７．５質量％
このインクの、粘度は２．１ｍＰａ・ｓ、表面張力は３２ｍＮ／ｍであった。
【０１２１】
＜Ｉｎｋ−８＞
顔料処理方法１に従って顔料を処理し、続いて、上記インク作製方法に従って下記組成物を含むインク（Ｉｎｋ−８）を作製した
・Ｂｌａｃｋ  Ｐｅｒｌｓ  Ｌ（キャボット社製）：４質量％
・ジエチレングリコール（ＳＰ＝１５．０）：８質量％
・トリエチレングリコール（ＳＰ＝１３．６）：４質量％
・Ｎ−メチル−２−ピロリドン（ＳＰ＝１０．８）：３．２質量％
・尿素：５質量％
・アセチレングリコールエチレンオキサイド付加物：１質量％
・イオン交換水：７４．８質量％
このインクの、粘度は２．２ｍＰａ・ｓ、表面張力は３２ｍＮ／ｍであった。
【０１２２】
＜Ｉｎｋ−９＞
顔料処理方法２に従って顔料を処理し、続いて、上記インク作製方法に従って下記組成物を含むインク（Ｉｎｋ−９）を作製した。
・Ｂｌａｃｋ  Ｐｅｒａｌｓ  Ｌ（キャボット社製）：４質量％
・スチレン−アクリル酸共重合体ナトリウム中和塩：０．４質量％
・ジエチレングリコール（ＳＰ＝１５．０）：８質量％
・エチレングリコール（ＳＰ＝１７．８）：２質量％
・トリエチレングリコール（ＳＰ＝１３．６）：３．５質量％
・テトラエチレングリコール（ＳＰ＝１２．８）：０．５質量％
・１，２−ヘキサンジオール（ＳＰ＝１３．４）：１質量％
・ジグリセリンエチレンオキサイド付加物（ＳＰ＝１１．６）：１質量％
・ブチルカルビトール（ＳＰ＝１０．５）：０．５質量％
・尿素：６質量％
・アセチレングリコールエチレンオキサイド付加物：０．２５質量％
・イオン交換水：７２．８５質量％
このインクの粘度は２．３ｍＰａ・ｓ、表面張力は３１ｍＮ／ｍであった。なお、既述した式（３）により求めたインクに含まれる第１の水溶性溶媒群の溶解性パラメータＳＰ1は、１３．５である
【０１２３】
＜Ｉｎｋ−１０＞
顔料処理方法１に従って顔料を処理し、続いて、上記インク作製方法に従って下記組成物を含むインク（Ｉｎｋ−１０）を作製した
・Ｂｌａｃｋ  Ｐｅｒｌｓ  Ｌ（キャボット社製）：４質量％
・ジエチレングリコール（ＳＰ＝１５．０）：８質量％
・トリエチレングリコール（ＳＰ＝１３．６）：４質量％
・Ｎ−メチル−２−ピロリドン（ＳＰ＝１０．８）：０．８質量％
・尿素：５質量％
・アセチレングリコールエチレンオキサイド付加物：１質量％
・イオン交換水：７７．２質量％
このインクの、粘度は２．２ｍＰａ・ｓ、表面張力は３２ｍＮ／ｍであった。
【０１２４】
＜Ｉｎｋ−１１＞
顔料処理方法１に従って顔料を処理し、続いて、上記インク作製方法に従って下記組成物を含むインク（Ｉｎｋ−１１）を作製した
・Ｂｌａｃｋ  Ｐｅｒｌｓ  Ｌ（キャボット社製）：４質量％
・ジエチレングリコール（ＳＰ＝１５．０）：３．６質量％
・トリエチレングリコール（ＳＰ＝１３．６）：４質量％
・Ｎ−メチル−２−ピロリドン（ＳＰ＝１０．８）：２質量％
・尿素：５質量％
・アセチレングリコールエチレンオキサイド付加物：１質量％
・イオン交換水：８０．４質量％
このインクの、粘度は２．０ｍＰａ・ｓ、表面張力は３１ｍＮ／ｍであった。
【０１２５】
＜ＴＬ−１＞
下記組成物を混合することにより、液体組成物（ＴＬ−１）を得た。
・ジエチレングリコール：２０質量％
・硝酸マグネシウム：５質量％
・尿素：５質量％
・ポリオキシエチレンステアリルエーテル（エチレンオキサイドの繰り返し単位数＝１２）：０．１質量％
・水：６９．９質量％
この液体組成物の粘度は２．１ｍＰａ・ｓ、表面張力は３１ｍＮ／ｍであった。
【０１２６】
（評価方法）
印字は、８００ｄｐｉ、２５６ノズルの試作プリントヘッドを用い、インクのみ、或いは、インクおよび液体組成物を用いてＦＸ−Ｐ紙（富士ゼロックス社製）に印字し、各種評価を行った。また、以下特に記載が無い場合、印字は一般環境下（温度２３±０．５℃、湿度５５±５％Ｒ．Ｈ）で行い、評価は印字後２４時間一般環境下に放置したサンプルに対して行った。
尚、Ｉｎｋ−１〜４、９を用いた実施例１〜５、及び、Ｉｎｋ−５〜８、１０、１１を用いた比較例１〜６については、インク単独での評価を行った。結果を表１に示す
一方、Ｉｎｋ−２及び３にＴＬ−１を併用した実施例６及び７については、液体組成物を記録媒体に付与した後、インクを付与する記録方法を用いて評価を行った。結果を表２に示す。
【０１２７】
【表１】
2004189870.tif 000004
【０１２８】
【表２】
2004189870.tif 000005
【０１２９】
なお、表１および表２中、「ＳＰ2」は第２の水溶性溶媒群の溶解性パラメータ（２種以上の水溶性溶媒を含む場合は、溶解性パラメーターの最も低い水溶性溶媒の値）を意味し、「ＳＰ3」は第３の水溶性溶媒群の溶解性パラメータ（２種以上の水溶性溶媒を含む場合は、溶解性パラメーターの最も高い水溶性溶媒の値）を意味し、「η」は粘度を意味し、「γ」は表面張力を意味する。また、上記の表１および表２に示す各種評価項目（長期噴射安定性、長期保存安定性、光学濃度、滲み、および、耐水性）の評価方法およびその評価規準は以下に説明する通りである。
【０１３０】
＜長期噴射安定性＞
インクを５×１０7ｐｕｌｓｅで連続印字させ、印字の前後でのＤｒｏｐ速度を測定する。連続印字前後でのＤｒｏｐ速度の比率（ΔＤＳ値（％））を下式（５）に基いて算出し、以下の評価規準に基づいて評価を行った。
・式（５）
ΔＤＳ＝１００×（連続印字後のＤｒｏｐ速度÷連続印字前のＤｒｏｐ速度）
【０１３１】
−評価規準−
○…ΔＤＳが９０％以上
△…ΔＤＳが８０％以上
×…ΔＤＳが８０％未満
【０１３２】
＜長期保存安定性＞
インクを６０℃の温度下で１０００時間放置し、放置前後のインクに含まれる粒子径０．５μｍ以上の粒子数を測定した。次に、放置前後での粒子数の比率（ΔＰＳ値（％））を下式（６）に基いて算出し、以下の評価規準に基づいて評価した。
尚、０．５μｍ以上の粒子数の測定は、Ａｃｃｕｓｉｚｅｒ  TM７７０  Ｏｐｔｉｃａｌ  Ｐａｒｔｉｃｌｅ  Ｓｉｚｅｒ  （Ｐａｒｔｉｃｌｅ  Ｓｉｚｉｎｇ  Ｓｙｓｔｅｍｓ社製）を用い、上記手法と同様の測定方法で測定を行った。
【０１３３】
・式（６）
ΔＰＳ＝１００×（放置後のインクに含まれる粒子径０．５μｍ以上の粒子数÷放置前のインクに含まれる粒子径０．５μｍ以上の粒子数）
【０１３４】
−評価規準−
○…ΔＰＳが１１０％未満
△…ΔＰＳが１５０％未満
×…ΔＰＳが１５０％以上
【０１３５】
＜光学濃度＞
１００％カバレッジパターンを印字し、エックスライト４０４（エックスライト社製）を用いて光学濃度を測定し、以下の評価規準に基いてランク付けした。
【０１３６】
−評価基準（黒インクを用いた場合）−
○…光学濃度が１．４以上
△…光学濃度が１．３以上１．４未満
×…光学濃度が１．３未満
【０１３７】
−評価基準（カラーインクを用いた場合）−
○…光学濃度が１．１以上
△…光学濃度が１．０以上１．１未満
×…光学濃度が１．０未満
【０１３８】
＜滲み＞
細線パターンを印字し、印字部の滲み度合いを限度見本に照合し、以下の評価規準で官能評価を行なった。
【０１３９】
−評価基準−
○…滲みが少ないもの
△…滲みは発生しているが、許容レベルのもの
×…滲みが激しく、許容範囲外のもの
【０１４０】
＜耐水性＞
ベタパターンで印字したサンプルを水中に５分間浸漬させ、浸漬前後での光学濃度の比率（下式（７）に基いて算出されたΔＯＤ値（％））に基き、以下の評価規準で評価を行った。
【０１４１】
・式（７）
ΔＯＤ値＝１００×（浸漬後光学濃度÷浸漬前光学濃度）
【０１４２】
−評価基準−
○…ΔＯＤ値が９０％以上
△…ΔＯＤ値が８０％以上
×…ΔＯＤ値が８０％未満
【０１４３】
【発明の効果】
以上説明したように、本発明に係るインクジェットインク、並びに、インクジェット記録方法は、長期噴射安定性、長期保存安定性、光学濃度、滲み、および、耐水性に優れるものである。